(57)【要約】  従来よりも使用後の薬液の無駄や漏出を生じるおそれが少ない上、狭い部位に薬液を容易に塗布することができる塗布容器を提供する。薬液を収納する容器本体１０と、ノズル筒２４の先端に薬液の流出孔２４ａを開口する中栓２０と、ノズル筒２４に被せる塗布部３１を有するスポンジ材を用いた塗布体３０と、キャップ５０とを組み合わせる。キャップ５０は容器本体１０の口部１２に装着するとノズル筒２４の先端面の塗布部３１を押圧することにより流出孔２４ａを閉じ、口部１２から取り外すと流出孔２４ａを開いて薬液を塗布部３１の表面に浸出させるように構成されている。
2012161111.tif 000002
【特許請求の範囲】
【請求項１】
薬液を収納する容器本体と、
ノズル筒を有し、前記容器本体の口部に圧入する中栓と、
前記ノズル筒に被せる塗布部を有する連続気泡が形成されたスポンジ材を用いた塗布体と、
前記口部に着脱自在に装着するキャップとを備えてなり、
前記中栓は、前記ノズル筒の先端に薬液の流出孔を開口し、
前記キャップは、前記口部に装着すると、前記ノズル筒の先端面の前記塗布部を押圧することにより前記流出孔を閉じ、前記口部から取り外すと、前記流出孔を開いて薬液を前記塗布部の表面に浸出させるように構成されていることを特徴とする塗布容器。
【請求項２】
前記塗布部の外面に、周方向に連なって突出した環状突部を複数段設けることを特徴とする請求項１に記載の塗布容器。
【請求項３】
前記塗布部の外面に、対称軸方向に連なって凹んだ凹溝を複数条設けることを特徴とする請求項１に記載の塗布容器。
【請求項４】
前記塗布体は、前記塗布部の下端に、外周方向へ広がるフランジを形成し、前記ノズル筒を立設する前記中栓の段部に、前記フランジを拘束する取付リングを介して、前記中栓に固定されていることを特徴とする請求項１に記載の塗布容器。
【請求項５】
前記塗布部の外面に、周方向に連なって突出した環状突部を複数段設けることを特徴とする請求項４に記載の塗布容器。
【請求項６】
前記塗布部の外面に、対称軸方向に連なって凹んだ凹溝を複数条設けることを特徴とする請求項４に記載の塗布容器。
【請求項７】
前記ノズル筒の外面に、周方向に連なって突出した、前記塗布部を係合する為のリブを設けることを特徴とする請求項１〜６のいずれか１項に記載の塗布容器。
【請求項８】
前記キャップの内部には、前記塗布部を収納する保護用のスカートを垂設することを特徴とする請求項７に記載の塗布容器。
【請求項９】
前記キャップの内部には、前記塗布部を収納する保護用のスカートを垂設することを特徴とする請求項１〜６のいずれか１項に記載の塗布容器。
【発明の詳細な説明】
【技術分野】
【０００１】
本発明は、薬液などを収納するとともに、収納している薬液などを患部などに直接塗布することができる塗布容器に関し、特に、例えば足指間のような狭い部位に水虫薬のような薬液を塗布する用途に、好適に適用することができる塗布容器に関する。
【背景技術】
【０００２】
薬液などを所定の狭い部位に塗布するための塗布容器が知られている（例えば特許文献１参照）。【０００３】
従来の塗布容器は、薬液などを収納する容器本体と、ブラシまたはスポンジなどを用いた塗布体と、容器本体の口部に挿入される中栓と、当該中栓に対して上下に移動可能に組み合わせられる中空先細状のノズル体と、ねじ式の取付キャップと、ノズル体と一体の保持体とを備えている。ここで塗布体、中栓、ノズル体、及び保持体は、取付キャップにより、容器本体の口部に取り付けられている。また、ノズル体が中栓内に下降すると、中栓の側面に開いている開口がノズル体の下端部分によって塞がれ、一方、ノズル体が上昇すると、中栓の開口が開放される。そこで、取付キャップを緩み方向に回転させると、ノズル体が上昇して中栓の開口を開放し、容器本体内の薬液をノズル体の先端から流出させて塗布体に供給することができ、一方、取付キャップを逆方向に回転させると、ノズル体が下降して中栓の開口を塞ぐことができる。なお、不使用時において、塗布体は、取付キャップとは別のオーバキャップによってカバーされる。
【先行技術文献】
【特許文献】
【０００４】
【特許文献１】特開２００５−６７６２７号公報
【発明の概要】
【発明が解決しようとする課題】
【０００５】
かかる従来の塗布容器によれば、塗布体には、使用時に取付キャップを緩み方向に回転させて中栓の開口を開放することにより容器からの薬液が供給され、使用後に取付キャップを逆方向に回転させて中栓の開口を塞ぐことにより薬液の供給が断たれる。ここで、使用後に中栓の開口が塞がれても、ノズル体の内部に残った多量の薬液が塗布体に供給されつづけるため、薬液が無駄になったり、オーバキャップの隙間から薬液が外部に漏出したりするおそれがあるという問題があった。また、塗布体が曲がり易く、狭い部位に塗布し難いという問題もあった。【０００６】
本発明は以上のような従来の塗布容器における問題を考慮してなされたものであり、従来よりも使用後の薬液の無駄や漏出を生じるおそれが少ない上、狭い部位にも薬液を容易に塗布することができる塗布容器を提供するものである。
【課題を解決するための手段】
【０００７】
本発明の構成は、薬液を収納する容器本体と、ノズル筒を有し、容器本体の口部に圧入する中栓と、ノズル筒に被せる塗布部を有する連続気泡が形成されたスポンジ材を用いた塗布体と、口部に着脱自在に装着するキャップとを備えてなり、中栓は、ノズル筒の先端に薬液の流出孔を開口し、キャップは、口部に装着すると、ノズル筒の先端面の塗布部を押圧することにより流出孔を閉じ、口部から取り外すと、流出孔を開いて薬液を塗布部の表面に浸出させることをその要旨とする。【０００８】
なお、塗布体は、塗布部の下端に外周方向へ広がるフランジを形成し、ノズル筒を立設する中栓の段部に当該フランジを拘束する取付リングを介して中栓に固定することができる。【０００９】
また、塗布部の外面には、周方向に連なって突出した環状突部を複数段設けてもよく、対称軸方向に連なって凹んだ凹溝を複数条設けてもよい。【００１０】
さらに、ノズル筒の外面には、周方向に連なって突出した、塗布体を係合する為のリブを設けることができ、キャップの内部には、塗布部を収納する保護用のスカートを垂設することができる。
【発明の効果】
【００１１】
本発明によれば、容器本体の口部に圧入する中栓は、ノズル筒を有し、ノズル筒の先端には、薬液の流出孔が開口されている。そこで、容器本体内の薬液は、流出孔を介して流出し、ノズル筒に被せる塗布部の表面に浸出するため、塗布部を介して所定の部位に薬液を塗布することができる。なお、スポンジ材を用いた塗布体は、ノズル筒の外径に適合するほぼ一致するサイズである内径の円筒状の塗布部を有し、塗布部の上端を閉じてノズル筒の全長に被せることができ、ノズル筒が塗布部の先端部にまで到達することにより、塗布部が不用意に曲がったりせず、狭い部位にも薬液を容易に塗布することができる。ただし、塗布体は、塗布部を含む全体の肉厚を実質的にほぼ均一に形成することが好ましい。【００１２】
キャップは、口部に装着すると、頂部内面がノズル筒の先端面に接近し、ノズル筒の先端面の塗布部を押圧して圧縮することにより流出孔を閉じる。すなわち、容器内の薬液、ノズル筒内の薬液は、使用後に流出孔から無駄に流出したりするおそれがない。なお、スポンジ材を用いた塗布体は、弾性を有するため、キャップを外して押圧力を解放すれば、元の形状に速やかに復元する。【００１３】
塗布体は、取付リングを介して塗布部の下端の外周方向へ広がるフランジを中栓の段部の上面に拘束することにより、中栓と一体に固定することができ、中栓のノズル筒から不用意に外れてしまうことがない。【００１４】
塗布体の塗布部は、周方向に連なって突出した環状突部を複数段、または対称軸方向に連なって凹んだ凹溝を複数条外面に設けることにより外表面積を大きくし、薬液の塗布作業を一層容易にすることができる。また、ノズル筒の外面に周方向に連なって突出した、塗布体を係合する為のリブを設ければ、塗布体の抜止め効果を向上させることができる。【００１５】
キャップの内部に垂設する保護用のスカートは、ノズル筒上の塗布部のほぼ全体を収納することにより、塗布部の表面に浸出する薬液の速やかな蒸発や固化などを防ぎ、長時間に亘って塗布部の表面を薬液により濡れた状態に保持することができる。ただし、保護用のスカートの内径は、塗布部の外径より僅かに大きく設定し、塗布部は、微少な隙間を介してスカートに収納し得るものとする。
【図面の簡単な説明】
【００１６】
【図１】図１は、本実施の形態に係る塗布容器全体の構成を示す分解斜視図である。
【図２】図２は、本実施の形態に係る塗布容器全体の構造を示す組立縦断面図である。
【図３】図３は、図２の組立縦断面図の要部を拡大して示す要部組立縦断面図である。
【図４】図４は、キャップを外した状態の塗布容器の要部を拡大して示す要部組立正面図である。
【図５】図５（Ａ）は、変形例１に係る塗布容器の要部の構成を拡大して示す要部分解斜視図である。図５（Ｂ）は、変形例１に係る塗布容器の要部の構造を拡大して示す要部組立縦断面図である。
【図６】図６（Ａ）は、変形例２に係る塗布容器の要部の構成を拡大して示す要部分解斜視図である。図６（Ｂ）は、変形例２に係る塗布容器の要部の構造を拡大して示す要部組立縦断面図である。
【図７】図７（Ａ）は、変形例３に係る塗布容器の要部の構成を拡大して示す要部分解斜視図である。図７（Ｂ）は、変形例３に係る塗布容器の要部の構造を拡大して示す要部組立縦断面図である。
【図８】図８（Ａ）、（Ｂ）、及び（Ｃ）は、いずれも変形例４に係る塗布容器の頂部の構造を拡大して示す頂部組立縦断面図である。
【発明を実施するための形態】
【００１７】
以下、図面を以って本発明の実施の形態を説明する。
＜実施の形態１＞
【００１８】
図１、及び図２に示すように、塗布容器は、薬液を収納する容器本体１０と、中栓２０と、塗布体３０と、取付リング４０と、キャップ５０とを備えている。
【００１９】
容器本体１０は、胴部１１と、上向きの口部１２とを一体成形したプラスチック容器である。口部１２の外周には、キャップ５０用の雄ねじ１３が形成されている。
【００２０】
図１、及び図３に示すように、中栓２０は、スカート部２１、外周方向へ広がるフランジ２２、段部２３、及びノズル筒２４を一体成形したプラスチック部品であり、全体として軸対称の中空体構造になっている。
【００２１】
スカート部２１は、容器本体１０の口部１２に圧入されるようになっている。スカート部２１の外径は、口部１２の内径に適合するほぼ一致するサイズであり、スカート部２１の外周下部は、下向きに滑らかに縮径されている。フランジ２２の外径は、口部１２の上端縁の外径と同一である。段部２３は、大径のフランジ２２と、小径のノズル筒２４とを連結する段違いの連結部分になっている。段部２３の上面には、塗布体３０を係合する為の係合用リブ２３ａが形成されている。段部２３の周面には、取付リング４０用の環状の係合部２３ｂが形成されている。
【００２２】
ノズル筒２４は、段部２３上に立設され、中栓２０の対称軸方向に長く延びている。ノズル筒２４の平坦な先端面には、薬液の流出孔２４ａが開口されており、流出孔２４ａの下部は、テーパ状に開拡されている。
【００２３】
塗布体３０は、円筒状の塗布部３１の下端に、外周方向へ広がるフランジ３２を一体成形した連続気泡を有するスポンジ材である。塗布部３１の長さはノズル筒２４の長さに適合するほぼ一致するサイズであり、塗布部３１の内径はノズル筒２４の外径に適合するほぼ一致するサイズである。フランジ３２の外径は、段部２３の外径に揃えられている。また、塗布部３１の先端は平坦な面により閉じられており、平坦な面の周縁部分は丸められている。よって、塗布体３０は、ノズル筒２４の全長に被せるようにして隙間無く中栓２０と組み合わせられている。
【００２４】
取付リング４０は、中栓２０の段部２３を収容し得る本体部４１の上部に、斜め上向きのリング状の拘束部４２を一体成形したプラスチック部品である。なお、拘束部４２には、塗布体３０の塗布部３１を挿通可能である。本体部４１の内周には、中栓２０側の係合部２３ｂに係合する環状の係合部４１ａが形成されている。また、拘束部４２の先端には、中栓２０側の係合用リブ２３ａに対応する下向きの押えリブ４２ａが形成されている。よって、取付リング４０は、中栓２０のノズル筒２４に塗布体３０を被せて拘束部４２の下から上に挿通させ、係合部４１ａ、２３ｂを係合させて中栓２０と一体に連結することにより、拘束部４２を介して段部２３上のフランジ３２を係合用リブ２３ａと押えリブ４２ａとの間に挟み込んで拘束し、塗布体３０を中栓２０と一体に固定することができる。
【００２５】
キャップ５０は、頂部をドーム状に形成するとともに、外周下部に滑り止め用のローレット５１を形成し、内周下部に雌ねじ５２を形成したプラスチック部品である。雌ねじ５２は、容器本体１０側の雄ねじ１３に適合する。したがって、キャップ５０は、雌ねじ５２、雄ねじ１３を介し、容器本体１０の口部１２に対して着脱自在のねじ式のキャップである。
【００２６】
キャップ５０の頂部内面には、リング状に突出したシールリング５３が形成されている。シールリング５３は、塗布体３０の塗布部３１を介して中栓２０のノズル筒２４の先端面に対向している。よって、キャップ５０を容器１０の口部１２に装着すると、シールリング５３は、ノズル筒２４の先端面の流出孔２４ａの周囲の塗布部３１をリング状に押圧して圧縮し、流出孔２４ａを閉じることができる。
【００２７】
キャップ５０の内部には、保護用のスカート５４、規制用のスカート５５が同軸状に垂設されている。保護用のスカート５４は、取付リング４０の上方に露出する塗布部３１のほぼ全長を収納することができる。また、保護用のスカート５４より大径の規制用のスカート５５は、取付リング４０の外側に垂下し、中栓２０のフランジ２２上に着地することにより、口部１２に対するキャップ５０のねじ込み量の限界を規制している。なお、保護用のスカート５４の外側のリング状の空間５６に、保護用のスカート５４の外面を規制用のスカート５５の内面に連結する複数の放射状の補強板（図示せず）を配置してもよい。
【００２８】
容器本体１０に薬液（図示せず）を収納してキャップ５０を口部１２に装着すると、図３に示すように、中栓２０のノズル筒２４の先端の薬液の流出孔２４ａが閉じられるため、薬液が外部に漏出するおそれがない。
【００２９】
図４に示すように、キャップ５０を口部１２から取り外すと、キャップ５０のシールリング５３によってリング状に押圧されていた塗布体３０が弾性により元の形状に復帰する。よって、ノズル筒２４の先端の流出孔２４ａが開き、容器本体１０内の薬液は、流出孔２４ａから流出して、スポンジ材を用いた塗布体３０の塗布部３１の表面にまで浸出する。したがって、塗布体３０の塗布部３１の先端部を利用して、任意の狭い部位に薬液を塗布することができ、塗布部３１の周側部を利用して、任意の広い部位に薬液を塗布することができる。なお、足指間に水虫薬を塗布することを想定すると、取付リング４０上に突出する塗布部３１の長さ及び外径はそれぞれ、１５〜２０mm程度、及び６〜１０mm程度が好適である。
【００３０】
＜変形例１＞
図５（Ａ）、及び図５（Ｂ）に示すように、変形例１においては、塗布体３０は、フランジ３２を無くして塗布部３１のみの構成とし、さらに、塗布体３０を中栓２０と一体に固定する取付リング４０を削除している。
【００３１】
塗布部３１は、上から下に向けて僅かに外径を漸増させ、全体として上向きのテーパ状に形成されている。また、中栓２０のノズル筒２４の外面には、周方向に連なって突出した、塗布部３１を係合する為の係合用リブ２４ｂが複数形成されている。
塗布体３０は、ノズル筒２４の全長にわたって被せるようにして中栓２０と組み合わせ、係合用リブ２４ｂを介して抜止めされている。
中栓２０の段部２３の上面は、係合用リブ２３ａが削除されて平面に形成されている。
段部２３の周面は、係合部２３ｂが削除されている。なお、ノズル筒２４の係合用リブ２４ｂは、１条以上の任意の条数であってもよい。
【００３２】
＜変形例２＞
図６（Ａ）、及び図６（Ｂ）に示すように、変形例２においては、塗布体３０の塗布部３１の外面に、周方向に連なって突出した環状突部３１ａを複数段設けている。
【００３３】
変形例２に係る塗布容器において、中栓２０、及び取付リング４０は、それぞれ図１〜図３に示す実施の形態１の中栓２０、及び取付リング４０と同一形状である。一方、塗布体３０の各環状突部３１ａは、断面三角形の山形に形成されている。
フランジ３２上には、塗布部３１の補強部３２ａが形成されている。
キャップ５０の保護用のスカート５４は、塗布体３０の各環状突部３１ａの外側に垂下するように、十分大径に形成されている。なお、環状突部３１ａは、２条以上の任意の条数であってもよい。
【００３４】
＜変形例３＞
図７（Ａ）、及び図７（Ｂ）に示すように、変形例３においては、塗布体３０の塗布部３１の外面に、対称軸方向に連なって凹んだ凹溝３１を複数条形成している。
【００３５】
変形例３に係る塗布容器において、中栓２０、及び取付リング４０は、それぞれ図１〜図３に示す実施の形態１の中栓２０、及び取付リング４０と同一形状である。一方、塗布体３０の各凹溝３１ｂは、断面Ｖ字状に形成され、取付リング４０の上方に突出する塗布部３１の全周に等ピッチに配列されている。なお、凹溝３１ｂは、塗布部３１の全周に代えて、塗布部３１の外周の一部のみに部分的に形成してもよく、塗布部３１に対して軸対称に配置することが好ましい。また、各凹溝３１ｂは、Ｖ字状以外の任意の断面形状としてよいが、表面張力によって薬液が内部に保持され得るサイズに形成することが好ましい。
【００３６】
＜変形例４＞
図８（Ａ）に示す変形例４に係る塗布容器においては、キャップ５０の頂部内面に形成するシールリング５３を、頂部内面の中央に垂設する円柱状または円錐台状の突部５３ａに代えている。
図８（Ｂ）に示す変形例４に係る塗布容器においては、キャップ５０の頂部内面に形成するシールリング５３を、頂部内面の中央に垂設する半球状または円形ドーム状の突部５３ｂに代えている。
図８（Ｃ）に示す変形例４に係る塗布容器においては、キャップ５０の頂部内面に形成するシールリング５３を、中栓２０のノズル筒２４の先端面に形成するシールリング５３ｃに代えている。
突部５３ａ、突部５３ｂ、及びシールリング５３ｃは、いずれも、キャップ５０を容器１０の口部１２に装着するとき、シールリング５３と同様に塗布部３１を押圧してノズル筒２４の先端の流出孔２４ａを閉じることができる。
【００３７】
以上の説明において、容器１０、中栓２０、取付リング４０、及びキャップ５０は、それぞれ高密度ポリエチレン、ポリプロピレンなどのプラスチック材料により一体成形することができる。また、塗布体３０は、発泡ゴムや焼結成形品などの連続気泡を有する適切な弾性を備えるスポンジ材により一体に形成するものとする。
【００３８】
なお、図６の環状突部３１ａ、図７の凹溝３１ｂは、それぞれ図５の塗布体３０に適用してもよい。また、図５の係合用リブ２４ｂは、図１、図６、図７の中栓２０に適用してもよい。また、矛盾しない限り、実施の形態１、変形例１〜４は任意に組み合わせて実施することができる。
【００３９】
本願は、２０１１年５月２３日に出願された日本国特許出願第２０１１−１１４８１４号に基づく優先権の利益を主張するものである。２０１１年５月２３日に出願された日本国特許出願第２０１１−１１４８１４号の明細書の全内容が、本願に参考のため援用される。
【産業上の利用可能性】
【００４０】
本発明の塗布容器は、狭い部位に薬液を塗布する用途に特に好適に利用することができる。なお、本発明の塗布容器は、薬液を塗布する用途に限らず、たとえばかゆみ止めなどのジェルを塗布する用途に利用することができる。
【符号の説明】
【００４１】
１０    容器本体
１１    胴部
１２    口部
１３    雄ねじ
２０    中栓
２１    スカート部
２２    フランジ
２３    段部
２３ａ  係合用リブ
２３ｂ  係合部
２４    ノズル筒
２４ａ  流出孔
２４ｂ  係合用リブ
３０    塗布体
３１    塗布部
３１ａ  環状突部
３１ｂ  凹溝
３２    フランジ
４０    取付リング
４１    本体部
４２    拘束部
４２ａ  押えリブ
５０    キャップ
５１    ローレット
５２    雌ねじ
５３    シールリング
５３ａ  突部
５３ｂ  突部
５３ｃ  シールリング
５４    保護用のスカート
５５    規制用のスカート
５６    リング状の空間
【図１】
2012161111.tif 000003
【図２】
2012161111.tif 000004
【図３】
2012161111.tif 000005
【図４】
2012161111.tif 000006
【図５】
2012161111.tif 000007
【図６】
2012161111.tif 000008
【図７】
2012161111.tif 000009
【図８】
2012161111.tif 000010
【国際調査報告】
2012161111.tif 000011
2012161111.tif 000012
2012161111.tif 000013
2012161111.tif 000014